(57)【要約】      （修正有）【課題】グラフィックディスプレイチップがロードするＢＩＯＳプログラムを変更することにより、出力ポートを変更することができる、外部ディスプレイポートを切り替え可能なディスプレイ回路を提供する。【解決手段】グラフィックディスプレイチップ（ＧＰＵ）１１０と、第１と第２のＢＩＯＳと、ＢＩＯＳのうちの１つをイネーブルし、第１又は第２のＢＩＯＳプログラムのみをロードさせるＢＩＯＳ切替器１４０と、グラフィックディスプレイチップに接続される出力切替器１５０と、出力切替器を介してグラフィックディスプレイチップに接続される第１と第２の出力ポート１６０、１７０と、を備える。ＧＰＵが第１のＢＩＯＳプログラムをロードする場合、出力切替器は第１の出力ポートがグラフィックディスプレイチップに接続されるように切り替え、第２のＢＩＯＳプログラムをロードする場合、出力切替器は第２の出力ポートが接続されるように切り替える。【選択図】図１
2016085719.tif 000002
【特許請求の範囲】
【請求項１】
グラフィックディスプレイ信号を生成するためのグラフィックディスプレイチップと、
当該グラフィックディスプレイチップに電気的に接続されるとともに、第１のＢＩＯＳプログラムを記憶する第１のＢＩＯＳと、
当該グラフィックディスプレイチップに電気的に接続されるとともに、第２のＢＩＯＳプログラムを記憶する第２のＢＩＯＳと、
当該第１のＢＩＯＳと当該第２のＢＩＯＳの中の１つをイネーブルするとともにもう１つをオフするように、当該第１のＢＩＯＳと当該第２のＢＩＯＳに電気的に接続されることにより、当該グラフィックディスプレイチップに第１のＢＩＯＳプログラムと第２のＢＩＯＳプログラムの中の１つをロードさせるＢＩＯＳ切替器と、
当該グラフィックディスプレイチップに電気的に接続される出力切替器と、
当該出力切替器を介して当該グラフィックディスプレイチップに電気的に接続される第１の出力ポートと、
当該出力切替器を介して当該グラフィックディスプレイチップに電気的に接続される第２の出力ポートと、
を備え、
当該グラフィックディスプレイチップが第１のＢＩＯＳプログラムをロードする場合、グラフィックディスプレイチップは当該第１の出力ポートに符合するグラフィックディスプレイ信号を生成するとともに、当該出力切替器は、当該第１の出力ポートが当該グラフィックディスプレイチップに電気的に接続されるように切り替え、当該第１の出力ポートに符合するグラフィックディスプレイ信号を受信し、当該グラフィックディスプレイチップが第２のＢＩＯＳプログラムをロードする場合、当該グラフィックディスプレイチップは当該第２の出力ポートに符合するグラフィックディスプレイ信号を生成するとともに、当該出力切替器は当該第２の出力ポートが当該グラフィックディスプレイチップに電気的に接続されるように切り替え、当該第２の出力ポートに符合するグラフィックディスプレイ信号を受信することを特徴とする外部ディスプレイポートを切り替え可能なディスプレイ回路。
【請求項２】
当該第１の出力ポートと当該第２の出力ポートとは仕様の異なるディスプレイ信号出力ポートであることを特徴とする請求項１に記載の外部ディスプレイポートを切り替え可能なディスプレイ回路。
【請求項３】
当該ＢＩＯＳ切替器及び出力切替器は手動で切り替えるものであることを特徴とする請求項１に記載の外部ディスプレイポートを切り替え可能なディスプレイ回路。
【請求項４】
当該第１の出力ポートは、当該ＢＩＯＳ切替器及び当該出力切替器に電気的に接続され、第１の出力ポートが外部ディスプレイに接続されるか否かを判断する検出ピンを備え、
当該第１の出力ポートが外部ディスプレイに接続される場合、当該検出ピンは第１の切り替え信号を当該ＢＩＯＳ切替器及び当該出力切替器に出力し、該ＢＩＯＳ切替器は当該第１のＢＩＯＳをイネーブルに切り替えると同時に、当該出力切替器は、当該第１の出力ポートが当該グラフィックディスプレイチップに電気的に接続されるように切り替え、
当該第２の出力ポートが外部ディスプレイに接続される場合、当該検出ピンは第２の切り替え信号を当該ＢＩＯＳ切替器及び当該出力切替器に出力し、当該ＢＩＯＳ切替器は当該第２のＢＩＯＳをイネーブルに切り替えると同時に、当該出力切替器は、当該第２の出力ポートが当該グラフィックディスプレイチップに電気的に接続されるように切り替えることを特徴とする請求項１に記載の外部ディスプレイポートを切り替え可能なディスプレイ回路。
【請求項５】
第１のＢＩＯＳプログラム及び第２のＢＩＯＳプログラムを記憶するとともに、第１のＢＩＯＳプログラム又は第２のＢＩＯＳプログラムの中の１つをロードすることにより、グラフィックディスプレイ信号を生成するグラフィックディスプレイチップと、
当該グラフィックディスプレイチップに電気的に接続される出力切替器と、
当該出力切替器を介して当該グラフィックディスプレイチップに電気的に接続される第１の出力ポートと、
当該出力切替器を介して当該グラフィックディスプレイチップに電気的に接続される第２の出力ポートと、
を備え、
当該グラフィックディスプレイチップが第１のＢＩＯＳプログラムをロードする場合、グラフィックディスプレイチップは当該第１の出力ポートに符合するグラフィックディスプレイ信号を生成するとともに、当該出力切替器は、当該第１の出力ポートが当該グラフィックディスプレイチップに電気的に接続されるように切り替え、当該第１の出力ポートに符合するグラフィックディスプレイ信号を受信し、当該グラフィックディスプレイチップが第２のＢＩＯＳプログラムをロードする場合、当該グラフィックディスプレイチップは当該第２の出力ポートに符合するグラフィックディスプレイ信号を生成するとともに、当該出力切替器は当該第２の出力ポートが当該グラフィックディスプレイチップに電気的に接続されるように切り替え、当該第２の出力ポートに符合するグラフィックディスプレイ信号を受信することを特徴とする外部ディスプレイポートを切り替え可能なディスプレイ回路。
【請求項６】
当該第１の出力ポートと当該第２の出力ポートとは仕様の異なるディスプレイ信号出力ポートであることを特徴とする請求項５に記載の外部ディスプレイポートを切り替え可能なディスプレイ回路。
【請求項７】
出力切替器は手動で切り替えるものであることを特徴とする請求項５に記載の外部ディスプレイポートを切り替え可能なディスプレイ回路。
【請求項８】
当該第１の出力ポートは、当該出力切替器に電気的に接続され、第１の出力ポートが外部ディスプレイに接続されるか否かを判断する検出ピンを備え、
当該第１の出力ポートが外部ディスプレイに接続される場合、当該検出ピンは第１の切り替え信号を当該出力切替器に出力し、当該出力切替器は、当該第１の出力ポートが当該グラフィックディスプレイチップに電気的に接続されるように切り替え、
当該第２の出力ポートが外部ディスプレイに接続される場合、当該検出ピンは第２の切り替え信号を当該出力切替器に出力し、当該出力切替器は、当該第２の出力ポートが当該グラフィックディスプレイチップに電気的に接続されるように切り替えることを特徴とする請求項５に記載の外部ディスプレイポートを切り替え可能なディスプレイ回路。
【発明の詳細な説明】
【技術分野】
【０００１】
本発明は、グラフィック回路の出力に関し、特に外部ディスプレイポートを切り替え可能なディスプレイ回路に関する。
【背景技術】
【０００２】
マルチメディアの応用に従って、ビデオプレイヤー、コンピュータゲームなどの実行はコンピュータ本体による実行を広く採用するようになり、ユーザのコンピュータ本体のディスプレイポートに対する需要もますます多様化になっていく。普通のコンピュータ本体のディスプレイアダプタ又は内部ディスプレイ回路は、僅かしかない固定仕様の外部ディスプレイポートのみに適用する。例えば、普通のノートパソコンの外部ディスプレイポートには１つのＨＤＭＩコネクタと１つのＶＧＡコネクタのみを有する。従来の先端的ディスプレイアダプタにも２つの外部ディスプレイポートしか配置されておらず、それに固定仕様の組み合わせ（２つのＨＤＭＩ、又は１つのＤＶＩと１つのＤＶＩ）である。
【０００３】
前記した数の制限は、主にグラフィックディスプレイチップの基本入出力システム（ＧＰＵ ＢＩＯＳ）によるものであり、ＧＰＵ ＢＩＯＳはＩ／Ｏの数と仕様を制限する。このような制限の下で、メーカーでさえ外部ディスプレイポートの数を任意に増加することも、外部ディスプレイポートの仕様を任意に変更することもできず、ＧＰＵ ＢＩＯＳプログラムの書き換えにより仕様を変更するしかないが、数は依然として（数が同時にＧＰＵのＩ／Ｏピンの数で制限される）制限されている。
【先行技術文献】
【特許文献】
【０００４】
【特許文献１】特開２０１０−１２２５３８号公報
【発明の概要】
【発明が解決しようとする課題】
【０００５】
以上に鑑み、本発明は、必要に応じて、グラフィックディスプレイチップがロードするＢＩＯＳプログラムを変更することにより、対応可能な出力ポートを変更することができる外部ディスプレイポートを切り替え可能なディスプレイ回路を提供することを主な目的とする。
【課題を解決するための手段】
【０００６】
上記目的を達成するために、本発明の技術案は以下のように実現する。
外部ディスプレイポートを切り替え可能なディスプレイ回路であって、グラフィックディスプレイ信号を生成するためのグラフィックディスプレイチップと、グラフィックディスプレイチップに電気的に接続されるとともに、第１のＢＩＯＳプログラムを記憶する第１のＢＩＯＳと、グラフィックディスプレイチップに電気的に接続されるとともに、第２のＢＩＯＳプログラムを記憶する第２のＢＩＯＳと、第１のＢＩＯＳと第２のＢＩＯＳの中の１つをイネーブルするとともにもう１つをオフするように、第１のＢＩＯＳと第２のＢＩＯＳに電気的に接続されることにより、グラフィックディスプレイチップに第１のＢＩＯＳプログラムと第２のＢＩＯＳプログラムの中の１つのみをロードさせるＢＩＯＳ切替器と、グラフィックディスプレイチップに電気的に接続される出力切替器と、出力切替器を介してグラフィックディスプレイチップに電気的に接続される第１の出力ポートと、出力切替器を介してグラフィックディスプレイチップに電気的に接続される第２の出力ポートと、を備える。
【０００７】
そのうち、グラフィックディスプレイチップが第１のＢＩＯＳプログラムをロードする場合、グラフィックディスプレイチップは第１の出力ポートに符合するグラフィックディスプレイ信号を生成するとともに、出力切替器は第１の出力ポートがグラフィックディスプレイチップに電気的に接続されるように切り替え、第１の出力ポートに符合するグラフィックディスプレイ信号を受信し、グラフィックディスプレイチップが第２のＢＩＯＳプログラムをロードする場合、グラフィックディスプレイチップは第２の出力ポートに符合するグラフィックディスプレイ信号を生成するとともに、出力切替器は第２の出力ポートがグラフィックディスプレイチップに電気的に接続されるように切り替え、第２の出力ポートに符合するグラフィックディスプレイ信号を受信する。
【０００８】
そのうち、第１の出力ポートと第２の出力ポートとは仕様の異なるディスプレイ信号出力ポートである。
【０００９】
そのうち、ＢＩＯＳ切替器及び出力切替器は手動で切り替えるものである。
そのうち、第１の出力ポートは、ＢＩＯＳ切替器及び出力切替器に電気的に接続され、第１の出力ポートが外部ディスプレイに接続されるか否かを判断する検出ピンを備えてよく、
第１の出力ポートが外部ディスプレイに接続される場合、検出ピンは第１の切り替え信号をＢＩＯＳ切替器及び出力切替器に出力し、ＢＩＯＳ切替器は第１のＢＩＯＳをイネーブルに切り替えると同時に、出力切替器は第１の出力ポートがグラフィックディスプレイチップに電気的に接続されるように切り替え、
第２の出力ポートが外部ディスプレイに接続される場合、検出ピンは第２の切り替え信号をＢＩＯＳ切替器及び出力切替器に出力し、ＢＩＯＳ切替器は第２のＢＩＯＳをイネーブルに切り替えると同時に、出力切替器は第２の出力ポートがグラフィックディスプレイチップに電気的に接続されるように切り替える。
【００１０】
本発明は、第１のＢＩＯＳプログラム及び第２のＢＩＯＳプログラムを記憶するとともに、第１のＢＩＯＳプログラム又は第２のＢＩＯＳプログラムの中の１つをロードすることにより、グラフィックディスプレイ信号を生成するグラフィックディスプレイチップと、グラフィックディスプレイチップに電気的に接続される出力切替器と、出力切替器を介してグラフィックディスプレイチップに電気的に接続される第１の出力ポートと、出力切替器を介してグラフィックディスプレイチップに電気的に接続される第２の出力ポートと、を備える外部ディスプレイポートを切り替え可能なディスプレイ回路をさらに提出する。
【００１１】
そのうち、グラフィックディスプレイチップが第１のＢＩＯＳプログラムをロードする場合、グラフィックディスプレイチップは第１の出力ポートに符合するグラフィックディスプレイ信号を生成するとともに、出力切替器は第１の出力ポートがグラフィックディスプレイチップに電気的に接続されるように切り替え、第１の出力ポートに符合するグラフィックディスプレイ信号を受信し、グラフィックディスプレイチップが第２のＢＩＯＳプログラムをロードする場合、グラフィックディスプレイチップは第２の出力ポートに符合するグラフィックディスプレイ信号を生成するとともに、出力切替器は第２の出力ポートがグラフィックディスプレイチップに電気的に接続されるように切り替え、第２の出力ポートに符合するグラフィックディスプレイ信号を受信する。
【００１２】
そのうち、第１の出力ポートと第２の出力ポートとは仕様の異なるディスプレイ信号出力ポートである。
そのうち、出力切替器は手動で切り替えるものである。
そのうち、第１の出力ポートは、出力切替器に電気的に接続され、第１の出力ポートが外部ディスプレイに接続されるか否かを判断する検出ピンを備えてよく、
第１の出力ポートが外部ディスプレイに接続される場合、検出ピンは第１の切り替え信号を出力切替器に出力し、出力切替器は第１の出力ポートがグラフィックディスプレイチップに電気的に接続されるように切り替え、
第２の出力ポートが外部ディスプレイに接続される場合、検出ピンは第２の切り替え信号を出力切替器に出力し、出力切替器は第２の出力ポートがグラフィックディスプレイチップに電気的に接続されるように切り替える。
【発明の効果】
【００１３】
本発明が提供する外部ディスプレイポートを切り替え可能なディスプレイ回路は、次のような利点を有する。
本発明のディスプレイ回路により、メーカーは多様化、多種の仕様のディスプレイ出力ポートを提供することができ、ロードするＢＩＯＳを切り替えるだけで、単一のＢＩＯＳによる出力ポートの数の制限を受けることなく、ユーザが所望するディスプレイ出力ポートをイネーブルさせることができる。同時に、出力ポートの検出ピンにより、前記した切り替えは自動切り替えであってもよい。
【図面の簡単な説明】
【００１４】
【図１】本発明の第１の実施例の回路ブロック図である。
【図２】本発明の第１の実施例の作動模式図である。
【図３】本発明の第１の実施例の作動模式図である。
【図４】本発明の第２の実施例の回路ブロック図である。
【図５】本発明の第２の実施例の作動模式図である。
【図６】本発明の第２の実施例の作動模式図である。
【図７】本発明の第３の実施例の回路ブロック図である。
【図８】本発明の第３の実施例の作動模式図である。
【図９】本発明の第３の実施例の作動模式図である。
【図１０】本発明の第４の実施例の回路ブロック図である。
【図１１】本発明の具体的な実施形態の回路ブロック図である。
【発明を実施するための形態】
【００１５】
以下、図面と本発明の実施例を参照しながら、本新規な外部ディスプレイポートを切り替え可能なディスプレイ回路を更に詳しく説明する。
【００１６】
図１を参照する。図１は本発明の第１の実施例が開示する外部ディスプレイポートを切り替え可能なディスプレイ回路１００であり、コンピュータ本体のディスプレイ信号の出力に応用される。前記ディスプレイ回路１００は、独立のディスプレイアダプタ又は前記コンピュータ本体の内部ディスプレイアーキテクチャに応用されることができる。
【００１７】
図１に示すように、前記ディスプレイ回路１００は、グラフィックディスプレイチップ（ＧＰＵ）１１０、第１のグラフィックディスプレイ基本入出力システムチップ１２０（第１のＢＩＯＳ １２０）、第２のグラフィックディスプレイ基本入出力システムチップ１３０（第２のＢＩＯＳ １３０）、基本入出力システムチップ切替器１４０（ＢＩＯＳ切替器１４０）、出力切替器１５０、第１の出力ポート１６０及び第２の出力ポート１７０を備える。
【００１８】
図１に示すように、ＧＰＵ １１０はコンピュータ本体からの制御信号を受信することにより、グラフィックディスプレイ信号を生成することに用いられる。
第１のＢＩＯＳ １２０と第２のＢＩＯＳ １３０はそれぞれＧＰＵ １１０に電気的に接続されると同時に、第１のＢＩＯＳ １２０と第２のＢＩＯＳ １３０はそれぞれ第１のＢＩＯＳプログラム及び第２のＢＩＯＳプログラムを記憶する。
【００１９】
GPU １１０は、第１のＢＩＯＳプログラム又は第２のＢＩＯＳプログラムをロードすることにより、出力されるグラフィックディスプレイ信号の仕様及びグラフィックディスプレイ信号を出力するピンを決め、第１の出力ポート１６０又は第２の出力ポート１７０に対応することができる。
【００２０】
以上のように、ＧＰＵ １１０が第１のＢＩＯＳプログラムをロードする場合、ＧＰＵ １１０は第１の出力ポート１６０に符合するグラフィックディスプレイ信号を生成する。ＧＰＵ１１０が第２のＢＩＯＳプログラムをロードする場合、GPU １１０は第２の出力ポート１７０に符合するグラフィックディスプレイ信号を生成する。
【００２１】
図１に示すように、ＢＩＯＳ切替器１４０は、第１のＢＩＯＳ １２０と第２のＢＩＯＳ １３０の中の１つをイネーブルするとともにもう１つをオフするように、第１のＢＩＯＳ １２０と第２のＢＩＯＳ １３０に電気的に接続されることにより、ＧＰＵ １１０を第１のＢＩＯＳプログラムと第２のＢＩＯＳプログラムの中の１つのみをロードさせる。
【００２２】
出力切替器１５０はＧＰＵ１１０に電気的に接続されており、第１の出力ポート１６０及び第２の出力ポート１７０は出力切替器１５０を介してＧＰＵ １１０に電気的に接続されており、出力切替器１５０は第１の出力ポート１６０及び第２の出力ポート１７０の中の１つがＧＰＵ１１０に電気的に接続されるように切り替える。
【００２３】
図２に示すように、第１のＢＩＯＳ １２０がイネーブルされる場合、出力切替器１５０は第１の出力ポート１６０がＧＰＵ １１０に電気的に接続されるように切り替え、第１の出力ポート１６０に符合するグラフィックディスプレイ信号を受信する。
【００２４】
図３に示すように、第２のＢＩＯＳ １３０がイネーブルされる場合、出力切替器１５０は第２の出力ポート１７０がＧＰＵ １１０に電気的に接続されるように切り替え、第２の出力ポート１７０に符合するグラフィックディスプレイ信号を受信する。
【００２５】
具体的な実施例において、第１の出力ポート１６０と第２の出力ポート１７０とは仕様の異なるディスプレイ信号出力ポートであり、その組合せはＶＧＡコネクタとDVIコネクタ、DVIコネクタとＨＤＭＩコネクタ、ＶＧＡコネクタとＨＤＭＩコネクタであってよい。前記二重ＧＰＵ ＢＩＯＳアーキテクチャにより、ユーザは所望する出力ポート（第１の出力ポート１６０又は第２の出力ポート１７０）に応じて、対応するＧＰＵ ＢＩＯＳを選択してイネーブルさせ、出力信号の仕様と合わせる。
【００２６】
前記ＢＩＯＳ切替器１４０及び出力切替器１５０は手動で切り替えるものであってよいが、第１の出力ポート１６０と第２の出力ポート１７０の接続状態に応じて、自動で切り替えるものであってもよい。
【００２７】
図４は本発明の第２の実施例が開示するディスプレイ回路１００である。図４に示すように、第２の実施例において、第１の出力ポート１６０は、ＢＩＯＳ切替器１４０及び出力切替器１５０に電気的に接続され、第１の出力ポート１６０が外部ディスプレイに接続されるか否かを判断する検出ピン１６２を更に備えてよい。前記検出ピン１６２はＨＤＭＩのHPD信号ピンであってよい。
【００２８】
図５に示すように、第１の出力ポート１６０が外部ディスプレイに接続される場合、検出ピン１６２の電力レベルが高レベル（＋）に上昇し、第１の切り替え信号Ｓ１として、高レベル信号がそれぞれＢＩＯＳ切替器１４０及び出力切替器１５０に出力される。この際、ＢＩＯＳ切替器１４０は第１のＢＩＯＳ １２０をイネーブルするように切り替えると同時に、出力切替器１５０は第１の出力ポート１６０がＧＰＵ １１０に電気的に接続されるように切り替え、第１の出力ポート１６０に符合するグラフィックディスプレイ信号を受信し、それと同時に、第２のＢＩＯＳ １３０はオフされるとともに、第２の出力ポート１７０とＧＰＵ １１０との接続も遮断と設定される。
図６に示すように、第１の出力ポート１６０が外部ディスプレイに接続されない場合、検出ピン１６２の電力レベルが低レベル(-)に維持され、第２の切り替え信号として、低レベル信号がそれぞれＢＩＯＳ切替器１４０及び出力切替器１５０に出力される。この際、ＢＩＯＳ切替器１４０は第２のＢＩＯＳ １３０をイネーブルするように切り替えると同時に、出力切替器１５０は第２の出力ポート１７０がＧＰＵ １１０に電気的に接続されるように切り替え、第２の出力ポート１７０に符合するグラフィックディスプレイ信号を受信し、それと同時に、第１のＢＩＯＳ １２０はオフされるとともに、第１の出力ポート１６０とGPU １１０との接続も遮断と設定される。
【００２９】
図７に示すように、本発明の第３の実施例が開示するディスプレイ回路１００は、グラフィックディスプレイチップ１１０（ＧＰＵ １１０）、出力切替器１５０、第１の出力ポート１６０及び第２の出力ポート１７０を備える。
【００３０】
第３の実施例において、ＧＰＵ １１０は第１のＢＩＯＳプログラム及び第２のＢＩＯＳプログラムを記憶する。ＧＰＵ １１０は、グラフィックディスプレイ信号を生成するように、第１のＢＩＯＳプログラム又は第２のＢＩＯＳプログラムの中の１つをロードすることができ、第１のＢＩＯＳプログラム又は第２のＢＩＯＳプログラムをロードすることにより、ＧＰＵ １１０は、出力されるグラフィックディスプレイ信号の仕様及びグラフィックディスプレイ信号を出力するピンを決め、第１の出力ポート１６０又は第２の出力ポート１７０に対応する。
【００３１】
図８に示すように、ＧＰＵ １１０が第１のＢＩＯＳプログラムをロードする場合、出力切替器１５０は第１の出力ポート１６０がＧＰＵ １１０に電気的に接続されるように切り替え、第１の出力ポート１６０に符合するグラフィックディスプレイ信号を受信する。
【００３２】
図９に示すように、ＧＰＵ １１０が第２のＢＩＯＳプログラムをロードする場合、出力切替器１５０は第２の出力ポート１７０がＧＰＵ １１０に電気的に接続されるように切り替え、第２の出力ポート１７０に符合するグラフィックディスプレイ信号を受信する。
【００３３】
同様に、第３の実施例において、第１の出力ポート１６０と第２の出力ポート１７０とは仕様の異なるディスプレイ信号出力ポートである。出力切替器１５０は手動で切り替えるものであってよい。
【００３４】
図１０に示すように、出力切替器１５０は自動で切り替えるものであってよい。第１の出力ポート１６０は、出力切替器１５０に電気的に接続され、第１の出力ポート１６０が外部ディスプレイに接続されるか否かを判断する検出ピン１６２を備えてよい。
【００３５】
第１の出力ポート１６０が外部ディスプレイに接続される場合、検出ピン１６２は第１の切り替え信号を出力切替器１５０に出力し、出力切替器１５０は、第１の出力ポート１６０がＧＰＵ １１０に電気的に接続されるように切り替える。第２の出力ポート１７０が外部ディスプレイに接続される場合、検出ピンは第２の切り替え信号を出力切替器１５０（あき接続であるため低レベルを出力する）に出力し、出力切替器１５０は、第２の出力ポート１７０がＧＰＵ １１０に電気的に接続されるように切り替える。
【００３６】
第１〜第３の実施例において、第１の出力ポート１６０と第２の出力ポート１７０の数はそれぞれ１つのみであるが、実際に第１の出力ポート１６０と第２の出力ポート１７０は図１１に示すように、それぞれ２つ以上の出力ポートからなる第１の出力ポート１６０ａ、１６０ｂ群及び第２の出力ポート１７０ａ、１７０ｂ群であってよい。各群における各出力ポートの仕様が異なり、異なる仕様の組合せを構成してよい。
【００３７】
本発明のディスプレイ回路により、メーカーは多様化、多種の仕様のディスプレイ出力ポートを提供することができ、ロードするＢＩＯＳを切り替えるだけで、単一のＢＩＯＳによる出力ポートの数の制限を受けることなく、ユーザが所望するディスプレイ出力ポートをイネーブルさせることができる。同時に、出力ポートの検出ピンにより、前記した切り替えは自動切り替えであってもよい。
【００３８】
以上は単に本発明の好ましい実施例に過ぎず、本発明の請求の範囲を限定するためのものではない。
【符号の説明】
【００３９】
１００：ディスプレイ回路
１１０：グラフィックディスプレイチップ
１２０：第１のグラフィックディスプレイ基本入出力システムチップ
１３０：第２のグラフィックディスプレイ基本入出力システムチップ
１４０：基本入出力システムチップ切替器
１５０：出力切替器
１６０：第１の出力ポート
１６２：検出ピン
１７０：第２の出力ポート。
【図１】
2016085719.tif 000003
【図２】
2016085719.tif 000004
【図３】
2016085719.tif 000005
【図４】
2016085719.tif 000006
【図５】
2016085719.tif 000007
【図６】
2016085719.tif 000008
【図７】
2016085719.tif 000009
【図８】
2016085719.tif 000010
【図９】
2016085719.tif 000011
【図１０】
2016085719.tif 000012
【図１１】
2016085719.tif 000013
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
グラフィックディスプレイ信号を生成するためのグラフィックディスプレイチップと、
当該グラフィックディスプレイチップに電気的に接続されるとともに、第１のＢＩＯＳプログラムを記憶する第１のＢＩＯＳと、
当該グラフィックディスプレイチップに電気的に接続されるとともに、第２のＢＩＯＳプログラムを記憶する第２のＢＩＯＳと、
当該第１のＢＩＯＳと当該第２のＢＩＯＳの中の１つをイネーブルするとともにもう１つをオフするように、当該第１のＢＩＯＳと当該第２のＢＩＯＳに電気的に接続されることにより、当該グラフィックディスプレイチップに第１のＢＩＯＳプログラムと第２のＢＩＯＳプログラムの中の１つをロードさせるＢＩＯＳ切替器と、
当該グラフィックディスプレイチップに電気的に接続される出力切替器と、
当該出力切替器を介して当該グラフィックディスプレイチップに電気的に接続される第１の出力ポートと、
当該出力切替器を介して当該グラフィックディスプレイチップに電気的に接続される第２の出力ポートと、
を備え、
当該グラフィックディスプレイチップが第１のＢＩＯＳプログラムをロードする場合、グラフィックディスプレイチップは当該第１の出力ポートに符合するグラフィックディスプレイ信号を生成するとともに、当該出力切替器は、当該第１の出力ポートが当該グラフィックディスプレイチップに電気的に接続されるように切り替え、当該第１の出力ポートに符合するグラフィックディスプレイ信号を受信し、当該グラフィックディスプレイチップが第２のＢＩＯＳプログラムをロードする場合、当該グラフィックディスプレイチップは当該第２の出力ポートに符合するグラフィックディスプレイ信号を生成するとともに、当該出力切替器は当該第２の出力ポートが当該グラフィックディスプレイチップに電気的に接続されるように切り替え、当該第２の出力ポートに符合するグラフィックディスプレイ信号を受信する外部ディスプレイポートを切り替え可能なディスプレイ回路。
【請求項２】
当該第１の出力ポートと当該第２の出力ポートとは仕様の異なるディスプレイ信号出力ポートである請求項１に記載の外部ディスプレイポートを切り替え可能なディスプレイ回路。
【請求項３】
当該ＢＩＯＳ切替器及び出力切替器は手動で切り替えるものである請求項１に記載の外部ディスプレイポートを切り替え可能なディスプレイ回路。
【請求項４】
当該第１の出力ポートは、当該ＢＩＯＳ切替器及び当該出力切替器に電気的に接続され、第１の出力ポートが外部ディスプレイに接続されるか否かを判断する検出ピンを備え、
当該第１の出力ポートが外部ディスプレイに接続される場合、当該検出ピンは第１の切り替え信号を当該ＢＩＯＳ切替器及び当該出力切替器に出力し、該ＢＩＯＳ切替器は当該第１のＢＩＯＳをイネーブルに切り替えると同時に、当該出力切替器は、当該第１の出力ポートが当該グラフィックディスプレイチップに電気的に接続されるように切り替え、
当該第２の出力ポートが外部ディスプレイに接続される場合、当該検出ピンは第２の切り替え信号を当該ＢＩＯＳ切替器及び当該出力切替器に出力し、当該ＢＩＯＳ切替器は当該第２のＢＩＯＳをイネーブルに切り替えると同時に、当該出力切替器は、当該第２の出力ポートが当該グラフィックディスプレイチップに電気的に接続されるように切り替える請求項１に記載の外部ディスプレイポートを切り替え可能なディスプレイ回路。
【請求項５】
当該第１の出力ポートと当該第２の出力ポートの数はすべて複数個あり、当該グラフィックディスプレイチップが第１のＢＩＯＳプログラムをロードする場合、グラフィックディスプレイチップは当該複数の第１の出力ポートに符合するグラフィックディスプレイ信号を生成するとともに、当該出力切替器は、当該複数の第1の出力ポートが当該グラフィックディスプレイチップに電気的に接続されるように切り替え、当該複数の第１の出力ポートに符合するグラフィックディスプレイ信号を受信し、当該グラフィックディスプレイチップが第２のＢＩＯＳプログラムをロードする場合、当該グラフィックディスプレイチップは当該複数の第２の出力ポートに符合するグラフィックディスプレイ信号を生成するとともに、当該出力切替器は当該複数の第２の出力ポートが当該グラフィックディスプレイチップに電気的に接続されるように切り替え、当該複数の第２の出力ポートに符合するグラフィックディスプレイ信号を受信する請求項４に記載の外部ディスプレイポートを切り替え可能なディスプレイ回路。
【請求項６】
第１のＢＩＯＳプログラム及び第２のＢＩＯＳプログラムを記憶するとともに、第１のＢＩＯＳプログラム又は第２のＢＩＯＳプログラムの中の１つをロードすることにより、グラフィックディスプレイ信号を生成するグラフィックディスプレイチップと、
当該グラフィックディスプレイチップに電気的に接続される出力切替器と、
当該出力切替器を介して当該グラフィックディスプレイチップに電気的に接続される第１の出力ポートと、
当該出力切替器を介して当該グラフィックディスプレイチップに電気的に接続される第２の出力ポートと、
を備え、
当該グラフィックディスプレイチップが第１のＢＩＯＳプログラムをロードする場合、グラフィックディスプレイチップは当該第１の出力ポートに符合するグラフィックディスプレイ信号を生成するとともに、当該出力切替器は、当該第１の出力ポートが当該グラフィックディスプレイチップに電気的に接続されるように切り替え、当該第１の出力ポートに符合するグラフィックディスプレイ信号を受信し、当該グラフィックディスプレイチップが第２のＢＩＯＳプログラムをロードする場合、当該グラフィックディスプレイチップは当該第２の出力ポートに符合するグラフィックディスプレイ信号を生成するとともに、当該出力切替器は当該第２の出力ポートが当該グラフィックディスプレイチップに電気的に接続されるように切り替え、当該第２の出力ポートに符合するグラフィックディスプレイ信号を受信する外部ディスプレイポートを切り替え可能なディスプレイ回路。
【請求項７】
当該第１の出力ポートと当該第２の出力ポートとは仕様の異なるディスプレイ信号出力ポートである請求項６に記載の外部ディスプレイポートを切り替え可能なディスプレイ回路。
【請求項８】
出力切替器は手動で切り替えるものである請求項６に記載の外部ディスプレイポートを切り替え可能なディスプレイ回路。
【請求項９】
当該第１の出力ポートは、当該出力切替器に電気的に接続され、第１の出力ポートが外部ディスプレイに接続されるか否かを判断する検出ピンを備え、
当該第１の出力ポートが外部ディスプレイに接続される場合、当該検出ピンは第１の切り替え信号を当該出力切替器に出力し、当該出力切替器は、当該第１の出力ポートが当該グラフィックディスプレイチップに電気的に接続されるように切り替え、
当該第２の出力ポートが外部ディスプレイに接続される場合、当該検出ピンは第２の切り替え信号を当該出力切替器に出力し、当該出力切替器は、当該第２の出力ポートが当該グラフィックディスプレイチップに電気的に接続されるように切り替える請求項６に記載の外部ディスプレイポートを切り替え可能なディスプレイ回路。
【請求項１０】
当該第１の出力ポートと当該第２の出力ポートの数はすべて複数個あり、当該グラフィックディスプレイチップが第１のＢＩＯＳプログラムをロードする場合、グラフィックディスプレイチップは当該複数の第１の出力ポートに符合するグラフィックディスプレイ信号を生成するとともに、当該出力切替器は、当該複数の第１の出力ポートが当該グラフィックディスプレイチップに電気的に接続されるように切り替え、当該複数の第１の出力ポートに符合するグラフィックディスプレイ信号を受信し、当該グラフィックディスプレイチップが第２のＢＩＯＳプログラムをロードする場合、当該グラフィックディスプレイチップは当該複数の第２の出力ポートに符合するグラフィックディスプレイ信号を生成するとともに、当該出力切替器は当該複数の第２の出力ポートが当該グラフィックディスプレイチップに電気的に接続されるように切り替え、当該複数の第２の出力ポートに符合するグラフィックディスプレイ信号を受信する請求項９に記載の外部ディスプレイポートを切り替え可能なディスプレイ回路。